(57)【特許請求の範囲】
【請求項１】
枠と、縦枠に沿って摺動する障子と、障子を吊るバランサーを備え、バランサーは、縦枠の上部内周側面に取付けてあり、樹脂製のベース部材と、金属製のプレートと、ドラム及び香箱を有し、ベース部材とプレートとでドラムと香箱を保持しており、ベース部材が縦枠内周側面に当接していることを特徴とする建具。
【発明の詳細な説明】
【技術分野】
【０００１】
本発明は、上下に摺動する障子を備える建具に関する。
【背景技術】
【０００２】
上げ下げ窓では、障子の上下摺動が軽く行えるようにするため、障子を吊るバランサーを枠に設けている。バランサーは、障子を吊るワイヤーを巻き取るドラムや、バネを内蔵した香箱等を金属製のベース部材に軸支してあり、ベース部材を枠に当接してネジで固定している。このように従来のものは、枠に取付けられるバランサーのベース部材が金属製のため、枠からバランサーに冷気が伝わり、またバランサーから室内に冷気が放射されることで、断熱性能を低下させていた。
【発明の概要】
【発明が解決しようとする課題】
【０００３】
本発明は以上に述べた実情に鑑み、障子を吊るバランサーを備える建具の断熱性向上を目的とする。
【課題を解決するための手段】
【０００４】
上記の課題を達成するために請求項１記載の発明による建具は、枠と、縦枠に沿って摺動する障子と、障子を吊るバランサーを備え、バランサーは、縦枠の上部内周側面に取付けてあり、樹脂製のベース部材と、金属製のプレートと、ドラム及び香箱を有し、ベース部材とプレートとでドラムと香箱を保持しており、ベース部材が縦枠内周側面に当接していることを特徴とする。
【０００５】
本発明の建具は、バランサーの金属製のプレートの少なくとも内観露出面を樹脂カバーで被ってあるものとすることができる。
【発明の効果】
【０００６】
請求項１記載の発明による建具は、バランサーのベース部材を樹脂製とし、その樹脂製のベース部材を縦枠内周側面に当接させたことで、縦枠からバランサーに冷気が伝わるのを防止できるので、断熱性能が向上する。
【０００７】
バランサーの金属製のプレートの少なくとも内観露出面を樹脂カバーで被ってあるものであれば、該プレートから室内に冷気が放射されるのを抑えることができるので、断熱性能がさらに向上する。
【図面の簡単な説明】
【０００８】
【図１】図４のＡ−Ａ断面図である。
【図２】図４のＢ−Ｂ断面図である。
【図３】図４のＣ−Ｃ断面図である。
【図４】本発明の建具の一実施形態を示す室内側正面図である。
【図５】同建具の縦断面図であって、障子を全開にした状態を示す。
【図６】同建具の縦断面図であって、障子を内倒しした状態を示す。
【図７】（ａ）は同建具のバランサーの枠への収まり状態を枠の内周側から見た側面図であり、（ｂ）は室内側正面図である。
【図８】（ａ）は図７のＸ方向矢視図、（ｂ）は図７のＹ方向矢視図である。
【図９】上枠と縦枠とのコーナー部を内周側から見た斜視図であって、（ａ）はバランサー取付け前の状態、（ｂ）はバランサーを取付けた状態、（ｃ）はさらにバランサーカバーを取付けた状態を示す。
【図１０】（ａ）はバランサーの枠内周側から見た正面図であり、（ｂ）はＤ−Ｄ断面図である。
【図１１】バランサーの分解斜視図である。
【図１２】（ａ）は上枠に取付けられるブラケットの斜視図であり、（ｂ）はブラケットにバランサーを引っ掛けた状態を示す斜視図である。
【図１３】バランサーの枠への取付け手順を示す室内側正面図である。
【図１４】バランサーカバーの取付け方を示す斜視図である。
【図１５】（ａ）は障子の上部に設けられるラッチ及びその周辺の平面図、（ｂ）は同室内側正面図、（ｃ）は同外周側側面図である。
【図１６】図１５のＥ−Ｅ断面図である。
【図１７】ラッチ及びその周辺の斜視図である。
【図１８】目板の取付け方を示す横断面図である。
【図１９】（ａ）は上枠に取付けられるブラケットの他の実施形態を示す斜視図であり、（ｂ）は同ブラケットにバランサーを引っ掛けた状態を示す斜視図である。
【図２０】（ａ）は上枠の内周側部材の他の実施形態を示す縦断面図であり、（ｂ）は同内周側部材の底面図である。
【発明を実施するための形態】
【０００９】
以下、本発明の実施の形態を図面に基づいて説明する。図１〜６は、本発明の建具の一実施形態を示している。この建具は、住宅の窓開口部に設置される上げ下げ窓であって、図１〜４に示すように、躯体開口部に固定される枠１と、枠１内の室外側の上側に配置した外障子４と、枠１内の室内側の下側に配置した内障子２と、枠１に設置した左右のバランサー３，３とを備える。外障子４は、枠１に固定した固定障子となっている。内障子２は、縦枠５，５に沿って上下に摺動する可動障子となっている。内障子２は、図４に示すように、バランサー３，３からのびるワイヤー６，６で吊られており、軽い力で上下摺動できると共に、任意の高さ位置で停止できるようになっている。また内障子２は、上部の左右両側に縦枠５，５と係合するラッチ７，７を有し、ラッチ７，７を解除することで、図６に示すように室内側に倒すことができ、これにより内障子２の掃除が楽に行えるようになっている。内障子２の側部と縦枠５，５とはアーム８，８で連結してあり、アーム８，８により内障子２の倒れ角度を規制している。
【００１０】
枠１は、上枠９と下枠１０と左右の縦枠５，５を枠組みして構成される。上枠９は、図１に示すように、外周側部材１１と内周側部材１２の２部材で構成してある。外周側部材１１は、アルミニウム合金の押出形材で形成してある。内周側部材１２は、合成樹脂の押出形材よりなり、外障子４の上框１３の室内側に配置され、上枠９の室内側から見える部分を被っている。内周側部材１２は、室外側と室内側の２箇所に係止部１４ａ，１４ｂを有し、その係止部１４ａ，１４ｂを外周側部材１１に係止して取付けられている。内周側部材１２は、室内側に額縁１５にネジ止めされるアングル部１６を有し、アングル部１６の室外側に底壁１７がアングル部１６と面一に形成されおり、また底壁１７は外周側部材１１の室外側端部に形成された垂下片１８の下端と略同じ高さ位置にある。底壁１７の室外側端部には、柔軟なヒレ片１９が室外側に突出して形成され、ヒレ片１９の先端部が外障子４の上框１３の室内側に当接している。内周側部材１２は、内部が複数の中空部２０ａ，２０ｂ，２０ｃ，２０ｄに仕切られており、これにより断熱性を高めている。内周側部材１２は、バランサー３，３を上枠９内にのみ込ませるため、図９（ａ）に示すように、左右両端部にアングル部１６を残すようにしてＬ字形に切り欠き２１が設けてある。
【００１１】
上枠９の内周側部材１２は、図２０に示すように、アングル部１６を別体で形成することもできる。この場合、内周側部材１２の左右の側縁１２ａをまっすぐに切断するだけで、バランサー３の上部をのみ込ませるための孔を形成でき、図９（ａ）に示すようなＬ字形の切り欠き２１が不要となるので、加工コストを抑えられる。また、アングル部１６を額縁１５に取付けたまま内周側部材１２を取外すことができるので、メンテナンス性が向上する。
【００１２】
縦枠５は、図２に示すように、外周側部材２２と内周側部材２３とアングル材３９とを有している。外周側部材２２はアルミニウム合金の押出形材よりなり、内周側部材２３とアングル材３９は合成樹脂の押出形材よりなる。
外周側部材２２は、室外側に見付壁２４を有し、見付壁２４は縦枠５の中で最も内周側に張り出しており、外障子４は左右けんどんなしで室内側からまっすぐ縦枠５，５間に建て込み、外障子４の室外側面の外周部に設けたタイト材２５を見付壁２４先端部の室内側に当接している。このように、外障子４を左右けんどんなしで室内側からまっすぐ建て込めるようにしたことで、従来、外障子４を縦枠５，５間に左右けんどんで建て込む際に必要であった振込のスペースが不要になるため、縦枠５の見付寸法を小さくでき、その結果として採光面積・開口面積が左右方向に大きくなっている。見付壁２４の室内側には、矩形の中空部２６が設けてある。
【００１３】
縦枠５の内周側部材２３は、図２に示すように、外周側部材２２の中空部２６の室内側に内周側から係合させて取付けてある。内周側部材２３は、図１，９に示すように、バランサー３より下方に設けてある。すなわち、内周側部材２３の上部を外周側部材２２よりも短く、フラットに切断することにより、内周側部材２３の上端と上枠９の下面間にバランサー３の取付けスペース２７を確保している。
内周側部材２３は、図２に示すように、室内側に外周側に凹んだ凹部２８が形成されている。凹部２８の底部は、内障子２を吊るワイヤー６の挿通部２９となっている。ワイヤー挿通部２９の内周側の室外側と室内側の壁には、内向き突部３０ａ，３０ｂがそれぞれ設けてあり、図３に示すように、内障子２の下部に外周側に突設したロッド棒３１が内向き突部３０ａ，３０ｂ間に案内されている。ロッド棒３１には、ワイヤー６の下端部が係止している。凹部２８の室外側は、複数の中空部３２ａ，３２ｂ，３２ｃ，３２ｄに仕切られている。
図２に示すように、室外側の内向き突部３０ａの内周側には鉤型の係止片３３が形成してあり、係止片３３のさらに内周側には室内側が開口した室外ガイド溝３４ａを有している。係止片３３と室内側の内向き突部間３０ｂ間には、樹脂製の目板３５が取付けてある。目板３５は、図６に示すように、バランサー３の下から内障子２の上框３６と重合する高さ位置にわたって設けてあり、ワイヤー挿通部２９は目板３５に隠れて見えなくしてある。なお目板３５は、図１８に示すように、室外側端部に形成した係止部３７を縦枠５の係止片３３に係止し、その係止部３７を支点として外周側に回転させることで、室内側端部に形成した係止片３８が縦枠５の内向き突部３０ｂに弾発的に係止して取付けられる。目板３５を取外す際は、図６に示すように、内障子２を内倒しした状態で、目板３５の下端に指を差し入れて内周側に引っ張ればよい。
【００１４】
図２，３に示すように、内周側部材２３の室内側には、アングル材３９が取付けてある。アングル材３９は、外周側部材２２と内周側部材２３とに形成された係止溝４０ａ，４０ｂに内周側から係止片４１ａ，４１ｂをそれぞれ係止して取付けられる。アングル材３９は、合成樹脂の押出形材よりなり、額縁１５にネジ止めされるアングル部４２と、内周側部材２３の室内側壁に沿って内周側にのびる見付部４３を一体に有している。見付部４３は中空状に形成してある。見付部４３の内周側端部には、室外側が開口した室内ガイド溝３４ｂを有している。室内ガイド溝３４ｂは、内周側部材２３に形成された室外ガイド溝３４ａと対向して設けてあり、図３に示すように、室外ガイド溝３４ａと室内ガイド溝３４ｂとで挟持する形で、内障子２の内倒し角度を規制するアーム８が連結されたスライダー４４が上下方向に摺動可能に案内してある。また、室内ガイド溝３４ｂの内周側端部４５は、図２に示すように、内障子２の上部に取付けられたラッチ７の爪４６の摺動部になっている。図９に示すように、内周側部材２３はバランサーの下で切断されている一方で、アングル材３９は上枠９の下面までのびている。縦枠５の内周側部材２３とアングル材３９は、取外し可能となっている。
【００１５】
このように、縦枠５を外周側部材２２と内周側部材２３とに分割して形成することで、内周側部材２３の上部をフラットに切断するだけで、縦枠５の上部内周側面にバランサー３の取付けスペース２７を容易に確保することができる。内周側部材２３の室内側に外周側に凹んだ凹部２８を形成し、凹部２８の底部側から入口側にかけてワイヤー挿通部２９、内障子２の下部（ロッド棒３１）のガイド部（内向き突部３０ａ，３０ｂ）、アームスライダー４４のガイド部（ガイド溝３４ａ，３４ｂ）、内障子２の上部（ラッチ７）のガイド部（アングル材３９の内周側端部４５）を順に形成することで、縦枠５の見付寸法をコンパクトに抑えつつ高機能のガイド部を構成できる。アングル材３９を内周側部材２３と別体で形成し、アングル材３９を上枠までのばし、アングル材３９の内周側端部４５を内障子２上部（ラッチ７）のガイド部としたことで、アングル材３９でバランサー３を隠蔽することができ、また、内障子２上部をバランサー３の下端を超えて上までスムーズにガイドできる。内周側部材２３とアングル材３９を樹脂製とし、さらにこれらに中空部３２ａ，３２ｂ，３２ｃ，３２ｄを設けることで、高い断熱性能が得られる。さらに、内周側部材２３の凹部２８に樹脂製の目板３５を取付けてワイヤー挿通部２９を隠したことで、断熱性能がさらに向上すると共に、意匠性が向上する。目板３５、内周側部材２３、アングル材３９は、取外し可能なので、メンテナンス性が良い。
【００１６】
バランサー３は、図７，９に示すように、縦枠５の上部内周側面に取付けてあり、より詳細には、縦枠５の内周側部材２３の上端と上枠９との間で、縦枠５の外周側部材２２内の室外側の見付壁２４と室内側の見付部４３の間のスペース２７に配置し、外周側部材２２の内周側面に取付けてある。バランサー３は、図８，９に示すように、縦枠５の室内側の見付部４３の内周側縁より外周側に略収まっており、すなわち縦枠５の室内側の見付寸法内に略収まっており、室内側から見るとバランサー３はアングル材３９の見付部４３に隠れて見えない。厳密に言えば、バランサー３の上部に設けられる主軸５６の先端部やラチェット５８及びクリック５９等の部品がアングル材３９の見付部４３より内周側に少し出っ張るが、この部分は後述するバランサーカバー６１のストッパー６９にてカバーされて隠れる。またバランサー３は、縦枠５の室外側の見付寸法（室外側の見付壁２４の見付寸法）内には、全体が完全に収まっている。またバランサー３は、図９に示すように、上枠９の内周側部材１２の端部に形成した切り欠き２１より、上枠９内に１５ｍｍ程度のみ込ませてあり、のみ込ませた分だけバランサー３の下端位置が高くなっている。
【００１７】
バランサー３は、図７，１０，１１に示すように、外周側に合成樹脂で形成されたベース部材４７が配置され、ベース部材４７にゼンマイバネ４８を収容した香箱４９とワイヤー６を巻き取るドラム５０とを、それぞれの軸を左右方向に向けて上下に並べて軸支し、香箱４９とドラム５０を被うようにベース部材４７に内周側から金属製のプレート５１を取付けている。香箱４９とドラム５０の外径は、略同じになっている。香箱４９の外周側には香箱歯車５２が、ドラム５０の外周側にはドラム歯車５３がそれぞれ設けてあり、香箱歯車５２とドラム歯車５３に噛み合うように連係歯車５４がベース部材４７に取付けてあり、ゼンマイバネ４８に蓄勢された回転トルクが連係歯車５４を介してドラム５０に伝達されている。このように香箱歯車５２とドラム歯車５３の間に連係歯車５４を噛ませることで、香箱歯車５２とドラム歯車５３を香箱４９とドラム５０の外周からはみ出さないように小さくでき、ベース部材４７の見込み方向寸法を香箱４９とドラム５０の外径ぎりぎりまで小さくできる。逆に言えば、縦枠５の見込み寸法に対して香箱４９とドラム５０の径をできるだけ大きくすることができ、これにより大荷重にも対応可能なバランサー３となっている。３つの歯車５２，５３，５４は、鉛直線上に一直線に配置され、且つ３つの歯車５２，５３，５４のピッチ円直径を同じにしてある。これにより、各歯車５２，５３，５４が負担するトルクを均一化でき、スムーズな回転を確保すると共に、歯車５２，５３，５４の耐久性を向上できる。
ドラム５０は、内周側に向かうにつれて径が小さくなっており、径を小さくすることでできたスペース９５（図１２参照）を利用して、後述する内障子２のラッチ７の爪４６が通過できる溝部５５を設けている。歯車５２，５３，５４とドラム５０は、樹脂製である。
ベース部材４７は、底板部８９にドラム５０の軸９０と連係歯車５４の軸９１が一体成形してある。またベース部材４７は、図１１に示すように、金属製の香箱４９のケース９２の周囲を被うように側壁９３が設けてある。
【００１８】
プレート５１の上部には、金属製の主軸５６が香箱４９の軸５７と係合して設けてあり、主軸５６にはラチェット５８が設けられ、ラチェット５８と噛み合うようにプレート５１上にクリック５９が設けてある。主軸５６にマイナスドライバーを係合させて時計回りに回転させると、ゼンマイバネ４８が巻かれてトルクが増大し、クリック５８を動かしてラチェット５８との噛み合いを解除すると、ゼンマイバネ４８が戻ってトルクが減少する。さらにプレート５１上には、主軸５６と連係して動くカウンタ６０を備えており、カウンタ６０を目安にして主軸５６の締め込み・戻し操作を行って、トルクが内障子２の重量と釣り合うように調整する。主軸５６とクリック５９の操作部、及びカウンタ６０は、図１に示すように、外障子４よりも室内側に設けてあるので、後述するバランサーカバー６１を外すだけで、外障子４を枠１に固定したままで室内側からバランサー３の調整が容易に行える。
【００１９】
プレート５１には、図１０に示すように、四角い孔６２のあいた係止片６３が上方に突出して設けてあり、図７に示すように、上枠９の外周側部材１１の左右両端部の下面には、係止片６３を引っ掛けるためのブラケット６４が取付けてある。ブラケット６４は、金属の板をプレス加工して形成したものであり、図１２（ａ）に示すように、係止片６３を下方より差し入れ可能な抜き孔６５と、抜き孔６５の左右両側から内側に向けて突設され、係止片６３の孔６２に挿入可能な爪片６６，６６を備え、左右のバランサー３，３に兼用のものとなっている。
バランサー３は、図１３（ａ）に示すように、上部を外周側に傾けた状態で上枠９内に差し入れ、係止片６３を上枠９のブラケット６４に下方より引っ掛ける。すると、図１３（ｂ）に示すように、バランサー３のベース部材４７が縦枠５の外周側部材２２の内周側面に当接し垂直な姿勢となり、ベース部材４７の下部一箇所を縦枠５の外周側部材２２に内周側からネジ６７で固定してある。このネジ６７は、縦枠５の躯体固定片６８（図２参照）よりも室内側にあるので、ネジ６７の先端側が外部に露出しない。
【００２０】
図１，７，９に示すように、バランサー３の内周側には樹脂製のバランサーカバー６１が取付けられ、バランサーカバー６１により金属製のプレート５１の内観露出面を被っている。バランサーカバー６１は、下端よりドラム５０より高い中間の位置まで縦枠５の内周側部材２３の内周側面と略面一状に設けられ、その室内側の部分に内障子２のラッチ７の爪４６が通過できる溝部５５が、縦枠５のガイド部（凹部２８）と連続するように上下方向に沿って設けてある。溝部５５は、図１に示すように、バランサー３の下端から香箱４９の下端より高い位置にわたって設けてある。これにより本建具は、図５に示すように、内障子２をその上端をドラム５０の下端より上まで、実施形態のものはさらに香箱４９の下端より上まで摺動させることができ、これにより開口面積が上下方向に大きくなっている。
バランサーカバー６１は、図５，７に示すように、縦枠５の内周側に突出する形で内障子２のストッパー６９が一体に設けてあり、このストッパー６９の下面に内障子２の上端が当接することで、内障子２の上限が規定されている。バランサー３は、プレート５１の内周側にラチェット５８とクリック５９及びカウンタ６０が設けてあるが、ストッパー６９はこれらの部品を覆うように設けてある。
【００２１】
バランサーカバー６１は、図７，８，１２に示すように、下端部に縦枠５の内周側部材２３に挿入・係止される係止片７０ａ，７０ｂ，７０ｃを複数有しており、上部には室外側に外障子４の縦框７１に係止する爪片７２ａを、室内側に縦枠５のアングル材３９に係止する爪片７２ｂをそれぞれ有している。バランサーカバー６１は、図１４に示すように、斜めにした状態で下端部に形成した係止片７０ａ，７０ｂ，７０ｃを縦枠５の内周側部材２３に挿入・係止した後、上部を外周側に押して垂直に起こすと、図８（ａ）に示すように、上部の爪片７２ａ，７２ｂが外障子４の縦框７１と縦枠５間に挟持して保持される。バランサーカバー６１の上端は、図９（ｃ）に示すように、上枠９の内周側部材１２の下面に当接する。バランサーカバー６１の下端部には、図７，８に示すように、縦枠５の目板３５と係合して目板３５が下がるのを防ぐ目板下がり防止部７３を有している。バランサーカバー６１は、ストッパー６９の上部室内側面に形成した切り欠き７４（図９（ｃ）参照）にマイナスドライバー等の工具を差し入れることで、容易に取り外すことができる。
【００２２】
内障子２のラッチ７は、図１５〜１７に示すように、縦框７５の上端部に固定されるベース部７６と、ベース部７６に内外周方向に摺動可能に保持されたラッチ本体７７と、ラッチ本体７７を外周側に付勢するバネ７８と、ベース部７６上面に設けた操作部材７９とを有している。ラッチ本体７７は、外周側面の下部室内側に爪４６をベース部７６から突出して有しており、爪４６は縦枠５の凹部２８の入口側に係合している。操作部材７９はラッチ本体７７と係合しており、操作部材７７を内周側に動かすと、ラッチ本体７７の爪４６がベース部７６に没入し、内障子２を室内側に倒せるようになる。
ラッチ本体７７の爪４６は、内障子２の上端から所定の寸法Ａ（図１５参照）だけ下がった位置に設けてあり、その寸法Ａは、バランサーカバー６１のストッパー６９の下面と溝部５５の上端との間の寸法Ｂ（図７参照）と略同じか、それ以上としてある。これにより内障子２をその上端がストッパー６９に当接する限界まで上げたときでも、ラッチ本体７７の爪４６が溝部５５の上端まで届かず、内障子２をストッパー６９に当接する限界まで支障なく上げることができる。また、ラッチ５の爪４６を室内寄りに配置したことで、内障子２を上げたときに爪４６がバランサー３のドラム５０と干渉するのを避けることができる。
【００２３】
内障子２の上框３６は、図１に示すように、室外側に配置された金属製形材８０と、室内側に配置された樹脂製形材８１とを組み合わせて構成してあり、上框３６の室内外方向の中央より室内側は樹脂製形材８１の中空部８２ａ，８２ｂ，８２ｃで構成してある。
ラッチ本体７７は、図１６に示すように、爪４６をベース部７６に没入させたときに上框３６内に挿入される後端部８３を有しており、この後端部８３は爪４６よりも室外側に設けてあり、したがってラッチ本体７７は平面視で略クランク状となっている。そして後端部８３は、爪４６をベース部７６に没入したときには、樹脂製形材８１の最も室外側の中空部８２ａよりも室外側に挿入される。そのため、ラッチ７を取付けるために樹脂製形材８１の中空部８２ａ，８２ｂ，８２ｃを切欠く必要がないので、加工が容易であると共に、樹脂製形材８１の中空部８２ａ，８２ｂ，８２ｃにより高い断熱性能が得られる。
なお、内障子２の上框３６以外の框（下框８４、縦框７５）も、上框３６と同様に金属製形材８０と樹脂製形材８１とを組み合わせて構成してある。外障子４の各框も、金属製形材８０と樹脂製形材８１とを組み合わせて構成してある。
【００２４】
以上に述べたように本建具は、内障子２を吊るバランサー３を縦枠５の上部内周側面に取付けたことで、上枠９の見付寸法を小さくすることができ、バランサー３は内障子２を吊るワイヤー６を巻き取るドラム５０を有し、内障子２は、上端がドラム５０の下端より上にくる高さまでガイドされていることで、内障子２をその上端を少なくともドラム５０の下端より高い位置まで摺動できる（実施形態のものは、さらに香箱４９の下端より高い位置まで摺動できる）ため、開口面積を大きくできる。バランサー（バランサーカバー６１）は、下端より上下方向の中間部にわたって内障子２のラッチ７の爪４６が通過できる溝部５５を有しているので、ラッチ７の爪４６がバランサー３に衝突して内障子２の可動範囲が規制されることがない。さらにバランサー（バランサーカバー６１）は、ドラム５０より高い位置に内障子２のストッパー６９を有するので、ストッパー６９を別途設置する必要がないので、部品コストや組み立てコストを低減することができ、しかもバランサー３の大きさによらず広い開口面積を確保できる。
【００２５】
本建具は、バランサー３のベース部材４７を樹脂製とし、樹脂製のベース部材４７と金属製のプレート５１とでドラム５０と香箱４９を保持しており、その樹脂製のベース部材４７を縦枠５内周側面に当接させたことで、縦枠５からバランサー３に冷気が伝わるのを防止できるので、断熱性能が向上する。ベース部材４７自体を樹脂製としたことで、バランサー３と縦枠５との間に樹脂製のスペーサー等の断熱材を介在させる必要がないので、部品点数を削減できる上、バランサー３の取付けが簡単になり、しかもバランサー３の厚みを薄くできる。また、ドラム５０等の軸９０等をベース部材４７に一体成形できるので、これによってもバランサー３の厚みを薄くできる。またバランサー３は、ベース部材４７やドラム５０等の主要な部品が樹脂製であり、香箱４９の金属製のケース９２の周囲はベース部材７６の側壁９３で覆われているので、単に枠への取付面だけに樹脂製のスペーサー等を介在させて断熱した場合よりも断熱性が高い。さらに、バランサー３の金属製のプレート５１の内観露出面を樹脂製のバランサーカバー６１で被ってあることで、該プレート５１から室内に冷気が放射されるのを抑えることができるので、断熱性能がさらに向上する。内周側に金属製のプレート５１を配置したことで、必要な強度を担保することができ、またプレート５１上にラチェット５８やクリック５９等の荷重のかかる部品を配置することができる。
【００２６】
本建具は、バランサー３が縦枠５の上部内周側面に取付けてあり、バランサー３は縦枠５の見付寸法内に収まっており、且つ上部を上枠９内にのみ込ませてあることで、開口面積を上下方向、左右方向共に大きくできる。本建具は、上枠９の下面にブラケット６４を有し、バランサー３はブラケット６４に引っ掛けるための引掛け部（係止片６３）を有することで、バランサー３を上枠９にのみ込ませて取付けるのが容易である。バランサー３の引掛け部（係止片６３）は、金属製のプレート５１に設けてあることで、バランサー３にかかる荷重を上枠９に伝えられるので、バランサー３を１本のネジ６７だけで安定して枠１に取付けできる。縦枠５が外周側部（外周側部材２２）と内周側部（内周側部材２３）とからなり、内周側部（内周側部材２３）はバランサー３より下方に設けてあり、内障子２のガイド部（凹部２８）と内障子２を吊る吊部材（ワイヤー６）の挿通部２９を有することで、バランサー３を取付けるために縦枠５に複雑な加工をする必要がなく、製造コストを低減できる。さらに、内周側部（内周側部材２３）は樹脂製であり、吊部材の挿通部２９が樹脂製の目板３５で塞いであることで、断熱性及び意匠性が向上する。
【００２７】
本建具は、バランサー３のドラム５０の軸９０が左右方向を向いているので、バランサー３を縦枠５内に収めることができ、またバランサー３を上枠９内に収める必要がないため上枠９の見付寸法を小さくできることから、開口面積（上下方向）を大きくできる。縦枠５の内周側部材２３の上端と上枠９間にバランサーカバー６１が取付けてあるので、意匠性がよい。バランサーカバー６１は、室内側から簡単に取り外すことができ、バランサーカバー６１を取外すことでバランサー３の調整やメンテナンスが容易に行える。
【００２８】
図１９は、上枠９に取付けられるブラケット６４とバランサーカバー６１の他の実施形態を示している。ブラケット６４は、左右勝手違いのものとしてあり、バランサー３を引っ掛けるための爪片６６とは別に垂下片８５を有し、バランサーカバー６１の上部のストッパー６９を垂下片８５に内周側から係合するとともに、内障子２の全開時にストッパー６９が受ける上向きの衝撃を、垂下片８５の下端で受け止め可能としている。
本実施形態によれば、バランサーカバー６１を取り付ける際、傾斜させた状態でバランサーカバー６１の下端を縦枠５の内周側部材２３の上端に載置させた後、バランサーカバー６１を起立させてバランサーカバー６１の上端近傍をブラケット６４の垂下片８５に係合させるだけでバランサーカバー６１の装着ができ、バランサーカバー６１の取り付けを容易に行うことができる。
そしてブラケット６４の垂下片８５を利用して、内障子２開放時にストッパー６９が受けた衝撃を垂下片８５に受けさせるとともに、垂下片８５から上枠９で確実に受け止めることができる。また、バランサーカバー６１の下端に設けた突起部８６を、縦枠５の載置部に嵌合させていることから、バランサーカバー６１は上下でそれぞれ係合状態となり、安定した固定が可能となる。
【００２９】
本発明は以上に述べた実施形態に限定されない。枠や障子の形態は、適宜変更することができる。バランサーの樹脂製のベース部材、金属製のプレートの形状は、適宜変更することができる。またバランサーは、香箱とドラムを同一軸上に配置したものであってもよい。バランサーは上枠にのみ込ませてなくてもよい。本発明は、上げ下げ窓の他、上げ下げ窓付きの戸等に適用することもできる。
【符号の説明】
【００３０】
１  枠
２  内障子（障子）
３  バランサー
５  縦枠
６  ワイヤー
７  ラッチ
９  上枠
２２  縦枠の外周側部材（外周側部）
２３  縦枠の内周側部材（内周側部）
２８  凹部（障子のガイド部）
２９  ワイヤー挿通部（吊部材の挿通部）
３５  目板
４６  ラッチの爪
４７  ベース部材
４９  香箱
５０  ドラム
５１  プレート
５５  溝部
６１  バランサーカバー（樹脂カバー）
６３  係止片（引掛け部）
６４  ブラケット
６９  ストッパー
【図１】
0006539460.tif 000002
【図２】
0006539460.tif 000003
【図３】
0006539460.tif 000004
【図４】
0006539460.tif 000005
【図５】
0006539460.tif 000006
【図６】
0006539460.tif 000007
【図７】
0006539460.tif 000008
【図８】
0006539460.tif 000009
【図９】
0006539460.tif 000010
【図１０】
0006539460.tif 000011
【図１１】
0006539460.tif 000012
【図１２】
0006539460.tif 000013
【図１３】
0006539460.tif 000014
【図１４】
0006539460.tif 000015
【図１５】
0006539460.tif 000016
【図１６】
0006539460.tif 000017
【図１７】
0006539460.tif 000018
【図１８】
0006539460.tif 000019
【図１９】
0006539460.tif 000020
【図２０】
0006539460.tif 000021